【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
排水監視装置であって、
シェル部材と、選択的に密封可能な第１チャンバを規定するように前記シェル部材の内側に配置可能なピストン部材と、
液体中の溶存酸素のレベルを測定するために操作可能であって、前記密封された密封可能な第１チャンバの内側に配置可能な第１酸素センサと、
試験される前記排水中の溶存酸素の前記レベルを測定するために操作可能な第２酸素センサと、
を備え、
試験される前記排水に前記第２酸素センサを配置するために、そして、
当該第２酸素センサとして、同じ前記排水内に、較正済みの第１酸素センサを配置するために、
試験される前記排水のサンプルおよび前記第１酸素センサとともに前記第１チャンバを選択的に密封するように、
前記シェル部材およびピストン部材の少なくとも一方は、他方に対して線形的に作動可能である、排水監視装置。
【請求項２】
請求項１に記載の排水装置であって、当該排水装置は、選択的に密封可能な第２チャンバを備え、前記選択的に密封可能な第１チャンバおよび前記選択的に密封可能な第２チャンバは、両方とも単一シェル部材および単一ピストン部材によって規定されており、前記ピストンは、前記第１および第２チャンバを規定するように前記シェル部材の内側に配置可能であり、前記第１チャンバを選択的に密封するとともに前記第２チャンバを選択的に密封するように、前記シェル部材およびピストン部材の少なくとも一方は、他方に対して線形的に作動可能である、排水装置。
【請求項３】
請求項２に記載の排水装置であって、前記選択的に密封可能な第１チャンバおよび前記選択的に密封可能な第２チャンバは、両方とも前記単一シェル部材内で互いに隣接し、前記単一シェル部材の内側を密封する前記ピストン部材の密封形成部分によって分離されている、排水装置。
【請求項４】
請求項１〜３のいずれかに記載の排水装置であって、前記装置は、前記ピストン部材および前記シェル部材の夫々が、他方に対して独立して作動させることができるように、前記シェル部材のための第１アクチュエータと、前記ピストン部材のための第２アクチュエータと、を備え、また、前記第１酸素センサは、前記ピストン部材の線形運動で線形に移動できるように、前記第２アクチュエータに取り付けられている、排水装置。
【請求項５】
請求項４に記載の排水装置であって、前記シェル部材、前記ピストン部材、前記第１アクチュエータ、前記第２アクチュエータ、前記第１酸素センサおよび前記第２酸素センサは全て、ケーシング内に収容されている、排水装置。
【請求項６】
請求項１〜５のいずれかに記載の排水装置であって、前記第２酸素センサは、前記ピストン部材のハウジング形成部内に備えられている、排水装置。
【請求項７】
請求項１〜６のいずれかに記載の排水装置であって、前記装置は、少なくとも３つの形態に操作可能であり、第１の形態では、前記ピストン部材が前記シェル部材に対して引き込まれることで、周囲の液体の進入を可能になっており、第２の形態では、前記ピストン部材は、前記液体および前記第１酸素センサを前記第１チャンバ内に収容するように前記シェル部材に対して配置されており、そして、第３の形態では、前記第１チャンバから前記収容液体を排出するように、前記ピストン部材が前記シェル部材に対してさらに配置されている、排水装置。
【請求項８】
排水監視システムであって、当該排水監視システムは、請求項１乃至７のいずれかに記載の、少なくとも１つの排水監視装置、および、コントローラを備え、前記排水監視システムは、
制御された条件の下、前記密封された第１チャンバ内の前記第１酸素センサの較正を行い、
前記第２酸素センサとして前記同じ排水中に前記較正済みの第１酸素センサを配置するために、前記シェル部材およびピストン部材の前記少なくとも一方を、前記他方に対して線形的に作動させ、そして、
前記第２酸素センサの出力が前記第１酸素センサの出力に合うように前記第２酸素センサの較正を行う
ために操作可能であることによって、第１自動較正操作を実行するために操作可能である、排水監視システム。
【請求項９】
請求項８に記載の排水システムであって、前記第１酸素センサの較正を行うため、前記排水監視装置は、
前記第１酸素センサを使用して溶存酸素のレベルが経時的に一定であることを判定し、そして、一定であるとき、前記第１酸素センサをゼロに較正するように操作可能である排水システム。
【請求項１０】
請求項８または９に記載の排水システムであって、前記第１酸素センサの較正を行うため、前記排水監視装置は、
前記排水装置内のエア空間内に前記第１酸素センサを配置するために、前記シェル部材および前記ピストン部材の少なくとも一方を他方に対して線形的に作動させ、そして、
前記第１酸素センサを使用して空気中の溶存酸素の前記レベルを測定し、この測定値を高点較正値として使用する
ために操作可能である、排水システム。
【請求項１１】
請求項８〜１０のいずれか１項に記載の排水システムであって、当該排水システムは、選択的に密封可能な第２チャンバを備え、前記装置は、更なる較正操作を実行するために操作可能であり、
制御された条件の下、前記密封された第２チャンバ内の前記第２酸素センサの較正を行い、そして、
前記第１較正操作の結果と、前記更なる較正操作とが裏付けられるかどうかを判定するように、前記第１較正操作の結果と、前記更なる較正操作とを比較する
ために操作可能であることによって、前記更なる較正操作を実行するために前記操作可能である、排水監視システム。
【請求項１２】
請求項８〜１１のいずれかに記載の排水システムであって、当該排水システムは、サンプル内の浮遊物質のレベルを測定するために操作可能な固体センサを備え、前記装置は、液体サンプルを当該装置の第１チャンバ内に収容すると共に、
沈殿容積指数測定と、
前記サンプルを攪拌後の、攪拌後沈殿容積指数測定と、
活性汚泥浮遊物質測定と、
のいずれか１つ以上を実行するように操作可能であり、そして、
所定時間を越えるまで前記サンプルを沈殿させることを可能とし、沈殿浮遊層での全浮遊物質測定を実行するために操作可能である、排水システム。
【請求項１３】
請求項８〜１３のいずれかに記載の排水システムであって、当該排水システムは、
前記第１及び第２酸素センサに対して付加的な１つ以上のセンサと、
密封された較正ハウジングと、
較正流体のためのリザーバとを備え、当該リザーバは、
前記第１又は第２酸素センサに対して付加的な前記１つ以上のセンサを前記較正ハウジング内に引き込み、前記較正ハウジングを前記較正流体で満たし、そして、前記較正流体を使用して前記１つ以上のセンサの較正を行う
ように操作可能である、排水システム。
【請求項１４】
請求項８〜１３のいずれかに記載の排水監視システムであって、前記排水装置は、前記第１チャンバおよびまたは前記第２チャンバ内に収容された液体サンプルを酸素で処理するための酸素処理手段を備え、
前記排水監視システムは、
前記排水のサンプルおよび前記第１酸素センサを前記装置の前記第１チャンバ内に密封し、
前記サンプル中の溶存酸素の前記レベルを上げるために当該サンプルを酸素で処理し、
前記溶存酸素レベルの変化率を経時的に判定し、そして、
前記サンプルの酸素利用速度を測定する、
ように操作可能である、排水監視システム。
【請求項１５】
請求項１４に記載の排水監視システムであって、当該排水監視システムは、最適な操作用溶存酸素濃度の範囲を判定するために、溶存酸素の濃度に対する酸素利用速度での変化を描くように操作可能であり、また、更に、
溶存酸素濃度の減少が酸素利用速度の急激な低下になるときの、限界炭素質点と、
溶存酸素濃度の増加が非常にわずかになり始めるか、または、前記酸素利用速度に影響しなくなり始め、これが、溶存アンモニア除去率が最大になったと考えられる点を示す限界硝化点と、
試験下の排水についての、オンライン毒性評価と、
の１つ以上を判定するように操作可能である、排水監視システム。